(57)【特許請求の範囲】
【請求項１】
直階段と廻り階段とを有し、前記直階段の外側板の端縁と、前記廻り階段の外側板の端縁とが突き合わされて組み付けられるようにした階段構造であって、
前記直階段及び前記廻り階段のうち一方側の外側板における突き合わせ端縁に、下側に切欠凹部、上側に凸部を有する下側切欠接合部が設けられるとともに、他方側の外側板における突き合わせ端縁に、上側に切欠凹部、下側に凸部を有する上側切欠接合部が設けられ、
前記一方側外側板及び前記他方側外側板が、互いの切欠接合部同士を相欠き接合した状態に組み付けられ、
前記一方側及び他方側外側板における切欠凹部と凸部との間に係合段部が設けられ、
前記他方側外側板における前記凸部の係合段部側の端部に、ビスや釘等の固着具によって構造材に固定される固定片が設けられ、
前記一方側及び他方側外側板の内側面に、両外側板間に跨るように水平方向に延びる段板取付溝が形成され、
前記一方側及び他方側外側板の係合段部が、前記段板取付溝の範囲内に配置され、
前記他方側外側板における前記段板取付溝の底部によって前記固定片が形成されてなることを特徴とする階段構造。
【請求項２】
前記一方側外側板の内側面における切欠凹部の先端縁に沿って垂直方向に延びる蹴込板取付溝が設けられ、
前記蹴込板取付溝の前側縁が、前記一方側外側板の切欠凹部の先端縁に一致するように形成され、
前記一方側外側板が前記他方側外側板の上方側に配置されてなる請求項１に記載の階段構造。
【請求項３】
前記一方側及び他方側外側板の係合段部が、前記段板取付溝の上端縁に一致するよう形成されてなる請求項１または２に記載の階段構造。
【請求項４】
前記切欠凹部における係合段部側の入隅部が円弧状に形成されてなる請求項１〜３のいずれか１項に記載の階段構造。
【請求項５】
前記凸部における係合段部側の出隅部が円弧状に形成されてなる請求項１〜４のいずれか１項に記載の階段構造。
【請求項６】
前記凸部における係合段部側の出隅部が切除されてなる請求項１〜５のいずれか１項に記載の階段構造。
【請求項７】
前記一方側外側板における凸部先端縁が傾斜配置されるよう形成されてなる請求項１〜６のいずれか１項に記載の階段構造。
【請求項８】
前記直階段の上端に前記廻り階段が組み付けられて、前記直階段が下直階段として構成され、
前記廻り階段の外側板が前記一方側外側板として構成されるとともに、前記下直階段の外側板が前記他方側外側板として構成されてなる請求項１〜７のいずれか１項に記載の階段構造。
【請求項９】
前記直階段の下端に前記廻り階段が組み付けられて、前記直階段が上直階段として構成され、
前記上直階段の外側板が前記一方側外側板として構成されるとともに、前記廻り階段の外側板が前記他方側外側板として構成されてなる請求項１〜７のいずれか１項に記載の階段構造。
【請求項１０】
前記廻り階段は、組立中心部材の廻りに周方向に沿って所定の間隔おきに複数の段板が設けられ、
平面視において、上記各段板の先端が、前記組立中心部材の中心線を中心とする放射線上に配置されてなる請求項１〜９のいずれか１項に記載の階段構造。
【請求項１１】
前記廻り階段は、組立中心部材の廻りに周方向に沿って所定の間隔おきに複数の段板が設けられるとともに、前記複数の段板の各間における上段側の段板先端部と下段側の段板基端部との間に垂直に蹴込板がそれぞれ設けられ、
平面視において、上記各蹴込板の表面が、前記組立中心部材の中心線を中心とする放射線上に配置されてなる請求項１〜１０のいずれか１項に記載の階段構造。
【発明の詳細な説明】
【技術分野】
【０００１】
この発明は、直階段と廻り階段とが組み合わされて形成される階段構造に関する。
【背景技術】
【０００２】
二階建て三階建て住宅の木質製屋内階段においては、設置スペース等を考慮して、途中で１８０°向きを変える折り返し階段や、途中で９０°向きを変えるかね折れ階段等、直階段と廻り階段とを組み合わせた廻り階段付きの階段構造が適用されることがある。
【０００３】
一方近年の住宅建築技術においては、屋内階段を組み立てるに際して、施工作業性の向上を図るため、階段を構成する部材のほとんどの部材を工場側であらかじめ裁断（プレカット）しておき、そのプレカット材を施工現場に搬入して組立施工するというプレカット工法が多く採用されている。
【０００４】
廻り階段付きの階段構造をプレカット工法により施工する手段としては、例えば下記特許文献１に示すものが周知である。この階段構造は、下直階段の上端に廻り階段が組み付けられるとともに、廻り階段に上直階段が組み付けられた折り返し階段を構成するものである。
【０００５】
この階段構造は、図３１及び図３２に示すように、下直階段（１１０）における外側板（下直外側板１１１）の上端縁（１１２）を、廻り階段（１５０）における下外側板（外廻り一側板１５１）の端縁（１５２）に突き合わせて組み付ける。更に図３３及び図３４に示すように、上直階段（１２０）における外側板（上直外側板１２１）の下端縁（１２２）を廻り階段（１５０）における上外側板（外廻り他側板１６１）の端縁（１６２）に突き合わせて組み付けるものである。
【０００６】
またこの階段構造においては、段板の側端縁を支持するための段板取付溝（１３０）が形成されている。この段板取付溝（１３０）は、直階段（１１０）（１２０）及び廻り階段（１５０）間においては、直外側板（１１１）（１２１）及び廻り外側板（１５１）（１６１）間に跨って形成されており、この側板間を跨る溝（１３０）内に１枚の段板が差し込まれて取り付けられるように構成されている。
【特許文献１】特許第３０５９６６０号（図１−１０）
【発明の開示】
【発明が解決しようとする課題】
【０００７】
しかしながら、上記特許文献１に示す従来の階段構造においては、直階段（１１０）（１２０）と廻り階段（１５０）との間の位置合わせが困難であり、施工作業をスムーズに行うことができないという問題があった。
【０００８】
すなわち上記従来の階段構造では、直外側板（１１１）（１２１）及び外廻り側板（１５１）（１６１）間において、突き合わせ端縁（１１２）（１２２）（１５２）（１６２）の上端コーナ部の位置合わせと同時に、段板取付溝（１３０）の位置合わせを行う必要があり、これら２箇所で同時に正確に位置合わせするのが困難であった。例えば直外側板（１１１）（１２１）及び外廻り側板（１５１）（１６１）間において、突き合わせ端縁（１１２）（１２２）（１５２）（１６２）の上端コーナ部を位置合わせした際に、側板間において段板取付溝（１３０）同士が一致せず、溝中間に段差が形成されて、段板を取り付けることができなくなったり、逆に段板取付溝（１３０）を位置合わせした際に、突き合わせ端縁（１１２）（１２２）（１５２）（１６２）の上端コーナ部同士が位置ずれして段差が生じ、美観を低下させる等の問題があった。
【０００９】
この発明は、上記従来技術の問題を解消し、廻り階段と直階段との間の位置合わせを簡単かつ精度良く行うことができ、施工作業を効率良くスムーズに行うことができる階段構造を提供することを目的とする。
【課題を解決するための手段】
【００１０】
上記目的を達成するため、本発明は以下の構成を要旨とする。
【００１１】
［１］  直階段と廻り階段とを有し、前記直階段の外側板の端縁と、前記廻り階段の外側板の端縁とが突き合わされて組み付けられるようにした階段構造であって、
前記直階段及び前記廻り階段のうち一方側の外側板における突き合わせ端縁に、下側に切欠凹部、上側に凸部を有する下側切欠接合部が設けられるとともに、他方側の外側板における突き合わせ端縁に、上側に切欠凹部、下側に凸部を有する上側切欠接合部が設けられ、
前記一方側外側板及び前記他方側外側板が、互いの切欠接合部同士を相欠き接合した状態に組み付けられてなることを特徴とする階段構造。
【００１２】
［２］  前記一方側外側板の内側面における下側切欠接合部近傍に、水平方向に延びる段板取付溝が形成され、
前記一方側外側板の下側切欠接合部における切欠凹部と凸部との間の係合段部が、前記段板取付溝よりも下方に配置されるとともに、前記段板取付溝の先端縁が、前記一方側外側板の下側切欠接合部における凸部に配置されてなる前項１に記載の階段構造。
【００１３】
［３］  前記一方側外側板の係合段部が、前記段板取付溝の下端縁に一致するように形成されてなる前項２に記載の階段構造。
【００１４】
［４］  前記一方側及び他方側外側板における切欠凹部と凸部との間に係合段部が設けられ、
前記凸部の係合段部側の端部に、ビスや釘等の固着具によって構造材に固定される固定片が設けられてなる前項１に記載の階段構造。
【００１５】
［４ａ］  前記固定片は、前記他方側外側板に設けられてなる前項４に記載の階段構造。
【００１６】
［４ｂ］  前記固定片は、その厚みが外側板よりも薄く設定されている前項４に記載の階段構造。
【００１７】
［４ｃ］  前記固定片は、その厚みが外側板に対し１／２程度に設定されている前項４に記載の階段構造。
【００１８】
［４ｄ］  前記固定片は、前記凸部の一部として構成されてなる前項４に記載の階段構造。
【００１９】
［４ｅ］  前記構造材は、柱によって構成されてなる前項４に記載の階段構造。
【００２０】
［５］  前記一方側及び他方側外側板の内側面に、両外側板間に跨るように水平方向に延びる段板取付溝が形成され、
前記一方側及び他方側外側板の係合段部が、前記段板取付溝の範囲内に配置され、
前記段板取付溝内における前記他方側外側板の凸部に前記固定片が設けられてなる前項４に記載の階段構造。
【００２１】
［６］  前記一方側及び他方側外側板の係合段部が、前記段板取付溝の上端縁に一致するよう形成されてなる前項５に記載の階段構造。
【００２２】
［７］  前記一方側及び他方側外側板における切欠凹部と凸部との間に係合段部が設けられ、
前記切欠凹部における前記係合段部側の入隅部が円弧状に形成されてなる前項１に記載の階段構造。
【００２３】
［８］  前記一方側及び他方側外側板における切欠凹部と凸部との間に係合段部が設けられ、
前記凸部における係合段部側の出隅部が円弧状に形成されてなる前項１又は７に記載の階段構造。
【００２４】
［９］  前記一方側及び他方側外側板における切欠凹部と凸部との間に係合段部が設けられ、
前記凸部における係合段部側の出隅部が切除されてなる前項１又は７に記載の階段構造。
【００２５】
［９ａ］  前記凸部における係合段部側の出隅部は、円弧状に切除されてなる前項９に記載の階段構造。
【００２６】
［９ｂ］  前記凸部における係合段部側の出隅部は切除されて、切除部として形成されてなる前項９に記載の階段構造。
【００２７】
［１０］  前記一方側外側板における凸部先端縁が傾斜配置されるよう形成されてなる前項１に記載の階段構造。
【００２８】
［１０ａ］  前記一方側外側板における凸部先端縁は、上方に向かうに従って他方側外側板側に位置する態様に、傾斜配置されるよう形成されてなる前項１０に記載の階段構造。
【００２９】
［１０ｂ］  前記一方側外側板における凸部先端縁は、下方に向かうに従って他方側外側板側に位置する態様に、傾斜配置されるよう形成されてなる前項１０に記載の階段構造。
【００３０】
［１０ｃ］  前記一方側外側板における凸部先端縁は、垂直方向に対し所定の角度を有する直線状に形成されてなる前項１０に記載の階段構造。
【００３１】
［１１］  前記一方側外側板の内側面における切欠凹部の先端縁に沿って垂直方向に延びる蹴込板取付溝が設けられてなる前項１ないし１０のいずれかに記載の階段構造。
【００３２】
［１２］  前記蹴込板取付溝の前側縁が、前記一方側外側板の切欠凹部の先端縁に一致するように形成されてなる前項１１記載の階段構造。
【００３３】
［１３］  前記一方側外側板が前記他方側外側板の上方側に配置されてなる前項１ないし１２のいずれかに記載の階段構造。
【００３４】
［１４］  前記直階段の上端に前記廻り階段が組み付けられて、前記直階段が下直階段として構成され、
前記廻り階段の外側板が前記一方側外側板として構成されるとともに、前記下直階段の外側板が前記他方側外側板として構成されてなる前項１ないし１３のいずれかに記載の階段構造。
【００３５】
［１５］  前記直階段の下端に前記廻り階段が組み付けられて、前記直階段が上直階段として構成され、
前記上直階段の外側板が前記一方側外側板として構成されるとともに、前記廻り階段の外側板が前記他方側外側板として構成されてなる前項１ないし１３のいずれかに記載の階段構造。
【００３６】
［１６］  前記廻り階段は、組立中心部材の中心線廻りに周方向に沿って所定の間隔おきに複数の段板が設けられ、
平面視において、上記各段板の先端が、前記組立中心部材の中心線を中心とする放射線上に配置されてなる前項１ないし１５のいずれかに記載の階段構造。
【００３７】
［１６ａ］  前記段板の内側端縁が、組立中心部材の外周形状に合わせてカットされてなる前項１６に記載の階段構造。
【００３８】
［１６ｂ］  前記組立中心部材は、中心柱によって構成されてなる前項１６に記載の階段構造。
【００３９】
［１６ｃ］  前記組立中心部材は、中心柱の外周面に設けられた中心部材によって構成されてなる前項１６に記載の階段構造。
【００４０】
［１６ｄ］  前記段板の外側端縁が、外廻り壁の内周面形状に合わせてカットされてなる前項１６に記載の階段構造。
【００４１】
［１６ｅ］  前記外廻り壁は、外廻り側板をよって構成されてなる前項１６に記載の階段構造。
【００４２】
［１７］  前記廻り階段は、組立中心部材の中心線廻りに周方向に沿って所定の間隔おきに複数の段板が設けられるとともに、前記複数の段板の各間における上段側の段板先端部と下段側の段板基端部との間に垂直に蹴込板がそれぞれ設けられ、
平面視において、上記各蹴込板の表面が、前記組立中心部材の中心線を中心とする放射線上に配置されてなる前項１ないし１５のいずれかに記載の階段構造。
【００４３】
［１７ａ］  前記組立中心部材は、中心柱によって構成されてなる前項１７に記載の階段構造。
【発明の効果】
【００４４】
この発明の階段構造によれば、廻り階段と直階段との間の位置合わせを簡単かつ精度良く行うことができ、施工作業を効率良くスムーズに行うことができるという効果がある。
【００４５】
上記発明［１］にかかる階段構造によれば、一方側外側板及び他方側外側板の突き合わせ端縁に、上方側及び下方側切欠接合部をそれぞれ形成するものであるため、互いの接合部を相欠き接合状態に係合するだけで簡単に、両外側板間の位置決めを精度良く行うことができ、組立作業を効率良くスムーズに行うことができる。
【００４６】
上記発明［２］にかかる階段構造によれば、段板取付溝が、両外側板間に跨って配置されるようなことがなく、たとえ両側板間に位置ずれがあろうとも、段板取付溝の形状に影響はなく、その溝内に段板を確実に挿入して固定することができ、一層施工作業を効率良くスムーズに行うことができる。
【００４７】
上記発明［３］にかかる階段構造によれば、切欠接合部の裁断加工と同時に、段板取付溝の下端縁を形成することができ、溝加工を簡単かつ精度良く行うことができ、ひいては階段構成部材の製作を簡単に行うことができる。
【００４８】
上記発明［４］にかかる階段構造によれば、固定片を柱等の構造材にビスや釘等の固着具により固定することにより、外側板を構造材に確実に固定することができる。
【００４９】
上記発明［５］にかかる階段構造によれば、固定片が段板取付溝内に配置されるため、階段施工後において、ビスや釘等の固着具を段板によって確実に隠蔽することができる。このため固着具隠蔽用の化粧作業を行わずに良好な美観を得ることができる。
【００５０】
上記発明［６］にかかる階段構造によれば、切欠接合部の裁断加工と同時に、段板取付溝の上端縁を形成することができ、溝加工を簡単かつ精度良く行うことができ、ひいては段板構成部材の製作を簡単に行うことができる。
【００５１】
上記発明［７］にかかる階段構造によれば、切欠凹部の係合段部側の入隅部を円弧状に形成しているため、その入隅部をルータ等によって簡単かつ正確に加工することができ、段板構成部材の製作をより簡単に行うことができる。
【００５２】
上記発明［８］にかかる階段構造によれば、凸部との係合段部側の出隅部を切除しているため、凸部を切欠凹部に無理なく納めることができる。
【００５３】
上記発明［９］にかかる階段構造によれば、一方側及び他方側外側板を互いの端縁同士を接合して仮組した際に、両側板を接合状態で安定して保持することができ、組立作業性を向上させることができる。
【００５４】
上記発明［１０］にかかる階段構造によれば、蹴込板取付溝を介して、蹴込板を確実に取り付けることができる。
【００５５】
上記発明［１１］にかかる階段構造によれば、切欠接合部の裁断加工と同時に、蹴込板取付溝の一側縁を形成することができ、溝加工をより一層簡単かつ精度良く行うことができ、ひいては階段構成部材の製作を一層簡単に行うことができる。
【００５６】
上記発明［１２］にかかる階段構造によれば、階段を下側から上側に組み立てていく場合、一方側外側板の下側切欠接合部を他方側外側板の上側切欠接合部に接合した際に、一方側外側板は、その切欠接合部の係合段部が、他方側外側板の切欠接合部における係合段部上に載置されることにより、位置決め状態で仮固定されるため、一方側外側板の構造物等への固定作業を効率良く行うことができる。
【００５７】
なお階段を上側から下側に組み立てていく場合には、上記とは逆に、一方側外側板が他方側外側板の下方側に配置されてなる構成、つまり下側の外側板における接合部を下側切欠接合部に形成する構成を採用するのが望ましい。
【００５８】
上記発明［１３］［１４］にかかる階段構造によれば、例えば下直階段と廻り階段とを有する階段構造や、上直階段と廻り階段とを有する階段構造を確実に提供することができる。
【００５９】
上記発明［１５］［１６］にかかる階段構造によれば、中心柱等の中心部材の廻りに複数の段板を位置精度良く配置して組み付けることができる。
【発明を実施するための最良の形態】
【００６０】
図１及び図２はこの発明の第１実施形態である階段構造を示す図である。同図に示すように、この実施形態の階段構造は、プレカット工法によって組み立てられるものであり、下直階段（１０）と、上直階段（２０）と、廻り階段（３０）とを有する折り返し階段をもって構成されている。
【００６１】
図１ないし図４に示すように、下直階段（１０）は、長板形状の外側板（下直外側板１１ａ）及び内側板（下直内側板１１ｂ）と、両側板（１１ａ）（１１ｂ）間に設けられる複数の段板（１８）及び複数の蹴込板（１９）とを具備している。
【００６２】
下直外側板（１１ａ）の内面側には、段板（１８）の取付位置に対応して、上下方向及び水平方向に所定の間隔をおいて複数の段板取付溝（１２ａ）が水平に形成されている。各段板取付溝（１２ａ）は、その後端側が開放されて、下直外側板（１１ａ）の後側から段板（１８）の端縁を挿入できるよう構成されている。更に下直外側板（１１ａ）の内側面には、隣合う段板取付溝（１２ａ）間において、上側の段板取付溝（１２ａ）の先端部から下側の段板取付溝（１２ａ）の基端部にかけて複数の蹴込板取付溝（１３ａ）が垂直に形成されている。各蹴込板取付溝（１３ａ）は、その下端側が開放されて、下直外側板（１１ａ）の下側から蹴込板（１９）の端縁を挿入できるよう構成されている。
【００６３】
図８及び図９に示すように、下直外側板（１１ａ）の上端縁は、上側が切り欠かれるように形成されて、上側に切欠凹部（１４ａ）、下側に凸部（１５ａ）を有する上側切欠接合部（１０ａ）として形成されている。更に切欠接合部（１０ａ）における凹部（１４ａ）及び凸部（１５ａ）間の段差部が、係合段部（１６ａ）として構成されている。
【００６４】
下直内側板（１１ｂ）の内面側には、下直外側板（１１ａ）の段板取付溝（１２ａ）及び蹴込板取付溝（１３ａ）に対応して、段板取付溝（１２ｂ）及び蹴込板取付溝（１３ｂ）がそれぞれ形成されている。
【００６５】
また下直内側板（１１ｂ）の上端縁は、上側が切り欠かれるように形成されて、上側に切欠凹部（１４ｂ）、下側に凸部（１５ｂ）を有する上側切欠接合部（１０ｂ）として形成されている。更に切欠接合部（１０ｂ）における凹部（１４ｂ）及び凸部（１５ｂ）間の段差部が、係合段部（１６ｂ）として構成されている。
【００６６】
なお切欠接合部（１０ｂ）の係合段部（１６ｂ）は、最上段の段板取付溝（１２ｂ）の上端縁に一致するように形成されている。更にこの最上段の段板取付溝（１２ｂ）は、後述するように、廻り階段（３０）における第１段板（３１）が挿入されるとともに、最上段の蹴込板取付溝（１３ｂ）は、廻り階段（３０）における第１蹴込板（４１）が挿入されるものである。換言すればこの最上段の段板取付溝（１２ｂ）及び蹴込板取付溝（１３ｂ）は、廻り階段（３０）における第１段板取付溝（３１ｂ）及び第１蹴込板取付溝（４１ｂ）を兼用するものである。
【００６７】
本実施形態において、下直外側板（１１ａ）及び下直内側板（１１ｂ）は、互いに対向するようにして支柱（１）（２）等の家屋構造体に固定される。
【００６８】
更に内外両側板（１１ａ）（１１ｂ）の対向する段板取付溝（１２ａ）（１２ｂ）にその後方から段板（１８）の両側端縁がそれぞれ挿入されて固定されるとともに、対向する蹴込板取付溝（１３ａ）（１３ｂ）にその下方から蹴込板（１９）の両側端縁がそれぞれ挿入されて固定されている。
【００６９】
図１、２及び図５、６に示すように、上直階段（２０）は、長板形状の外側板（上直外側板２１ａ）及び内側板（上直内側板２１ｂ）と、両側板（２１ａ）（２１ｂ）間に設けられる複数の段板（２８）及び複数の蹴込板（２９）とを具備している。
【００７０】
上直外側板（２１ａ）及び上直内側板（２１ｂ）の内面側には、上記と同様に、段板取付溝（２２ａ）（２２ｂ）及び蹴込板取付溝（２３ａ）（２３ｂ）が形成されている。
【００７１】
また図１０及び図１１に示すように、上直外側板（２１ａ）の下端縁は、下側が切り欠かれるように形成されて、上側に凸部（２４ａ）、下側に切欠凹部（２５ａ）を有する下側切欠接合部（２０ａ）として構成されている。更に切欠接合部（２０ａ）における凸部（２４ａ）及び凹部（２５ａ）間の段差部が、係合段部（２６ａ）として構成されている。
【００７２】
なお図１０及び図１１に示すように、上直外側板（２１ａ）における最下段の段板取付溝（２３ａ）の先端縁は、凸部（２４ａ）の先端縁に一致するように配置されるとともに、段板取付溝（２３ａ）の先端部下端縁が係合段部（２６ａ）に一致するように配置されている。更に最下段の蹴込板取付溝（２３ａ）は、その前側縁が切欠接合部（２０ａ）の凹部（２６ａ）の先端縁に一致するように配置されている。
【００７３】
図６に示すように上直内側板（２１ｂ）の下端縁は、下側が切り欠かれるように形成されて、上側に凸部（２４ｂ）、下側に切欠凹部（２５ｂ）を有する下側切欠接合部（２０ｂ）として構成されている。
【００７４】
なお上直内側板（２１ｂ）における最下段の段板取付溝（２２ｂ）の先端は、接合部（２０ｂ）の端縁に対応して配置されている。更に最下段の蹴込板取付溝（２３ｂ）は、切欠接合部（２０ｂ）の切欠凹部（２５ｂ）の端縁に沿って配置されている。
【００７５】
そして上直外側板（２１ａ）及び上直内側板（２１ｂ）が互いに対向するようにして支柱（１）（２）等の家屋構造体に固定される。
【００７６】
更に内外両側板（２１ａ）（２１ｂ）の対向する段板取付溝（２２ａ）（２２ｂ）にその後方から段板（２８）の両側端縁がそれぞれ挿入されて固定されるとともに、対向する蹴込板取付溝（２３ａ）（２３ｂ）にその下方から蹴込板（２９）の両側端縁がそれぞれ挿入されて固定されている。
【００７７】
図１ないし図７に示すように、廻り階段（３０）は、５段回しタイプのものであって、第１ないし第５段板（３１）〜（３５）と、第１ないし第５蹴込板（４１）〜（４５）と、廻り階段（３０）の周囲に配置される３枚の外廻り側板（５１ａ）（６１ａ）（７１ａ）と、廻り階段（３０）の中心部に配置される３本の中心部材（５１ｂ）（６１ｂ）（７１ｂ）とを具備している。
【００７８】
外廻り側板は、廻り階段（３０）の外周における一側面に沿って配置される外廻り一側板（５１ａ）と、前側面に沿って配置される外廻り前側板（６１ａ）と、他側面に沿って配置される外廻り他側板（７１ａ）を具備している。
【００７９】
図８及び図９に示すように、外廻り一側板（５１ａ）は、下直外側板（１１ａ）の上端縁に沿って配置されるものであって、一端縁（下端縁）側が下側切欠接合部（５０ａ）として構成されている。この切欠接合部（５０ａ）は、下側が切り欠かれるようにして、上側に凸部（５４ａ）、下側に切欠凹部（５５ａ）が形成されている。更に切欠接合部（５０ａ）における凸部（５４ａ）及び凹部（５５ａ）間の段差部が、係合段部（５６ａ）として構成されている。
【００８０】
また外廻り一側板（５１ａ）の内面側には、第１及び第２段板取付溝（３１ａ）（３２ａ）が水平方向に延びるように形成されている。段板取付溝（３１ａ）（３２ａ）は、その後端側が開放されて、一側板（５１ａ）の後方側から第１及び第２段板（３１）（３２）の端縁を挿入できるよう構成されている。
【００８１】
第１段板取付溝（３１ａ）の先端部は、外廻り一側板（５１ａ）における切欠接合部（５０ａ）の凸部（５４ａ）内に配置されている。詳細には、第１段板取付溝（３１ａ）の先端縁が凸部（５４ａ）の先端縁に一致するように配置されるとともに、段板取付溝（３１ａ）の先端部下端縁が係合段部（５６ａ）に一致するように配置されている。
【００８２】
また外廻り一側板（５１ａ）の内面側には、段板取付溝（３１ａ）（３２ａ）の先端部から下方に延びる第１及び第２蹴込板取付溝（４１ａ）（４２ａ）が形成されている。各蹴込板取付溝（４１ａ）（４２ａ）は、その下端側が開放されて、外廻り一側板（５１ａ）の下側から第１及び第２蹴込板（４１）（４２）の端縁を挿入できるよう構成されている。
【００８３】
ここで、第１蹴込板取付溝（４１ａ）は、その前側縁が切欠接合部（５０ａ）の凹部（５６ａ）の先端縁に一致するように配置されている。
【００８４】
なお、外廻り一側板（５１ａ）の内面側には、その後端部に垂直に延びる組付溝（５７ａ）が形成されている。
【００８５】
この外廻り一側板（５１ａ）は、その切欠接合部（５０ａ）が下直外側板（１１ａ）の切欠接合部（１０ａ）に相欠き接合された状態で支柱（２）に固定される。これにより外廻り一側板（５１ａ）が、廻り階段（３０）の一側面に沿って配置される。
【００８６】
図７に示すように、外廻り前側板（６１ａ）の一端縁には、上記外廻り一側板（５１ａ）の組付溝（５７ａ）に対応して組付凸部（６０ａ）が形成されている。
【００８７】
外廻り前側板（６１ａ）の内面側には、第２ないし第４段板（３２）〜（３４）に対応して、水平方向に延びる第２ないし第４段板取付溝（３２ａ）〜（３４ａ）が形成されるとともに、第３及び第４段板取付溝（３３ａ）（３４ａ）の先端から下方に垂直方向に延びる第３及び第４蹴込板取付溝（４３ａ）（４４ａ）が形成されている。更に外廻り前側板（６１ａ）の他端部には、垂直に延びる組付溝（６７ａ）が形成されている。
【００８８】
なお本実施形態において、第２段板取付溝（３２ａ）は、外廻り一側板（５１ａ）及び外廻り前側板（６１ａ）の双方に形成されている。更に第４段板取付溝（３４ａ）は、外廻り前側板（６１ａ）及び外廻り他側板（７１ａ）の双方に形成されている。
【００８９】
この外廻り前側板（６１ａ）は、その組付凸部（６０ａ）が一側板（５１ａ）の組付溝（５７ａ）に挿入された状態で支柱（２）に固定される。これにより外廻り前側板（６１ａ）が廻り階段（３０）の前側面に沿って配置される。
【００９０】
図５示すように、外廻り他側板（７１ａ）は、上直外側板（２１ａ）の下端縁に沿って配置されるものであって、一端縁側（上端縁側）が上側切欠接合部（７０ａ）として構成されている。図１０及び図１１に示すように、この切欠接合部（７０ａ）は、上側が切り欠かれるようにして、上側に切欠凹部（７４ａ）、下側に凸部（７５ａ）が形成されている。更に切欠接合部（７０ａ）における凹部（７４ａ）及び凸部（７５ａ）間の段差部が、係合段部（７６ａ）として構成されている。
【００９１】
また外廻り他側板（７１ａ）の内側面には、第４及び第５段板（３４）（３５）の取付位置に対応して、水平方向に延びる第４及び第５段板取付溝（３４ａ）（３５ａ）が形成されるとともに、第５段板取付溝（３５ａ）の先端から下方に垂直に延びる第５蹴込板取付溝（４５ａ）が形成されている。
【００９２】
更に外廻り他側板（７１ａ）の他端縁側（下端縁側）には、上記外廻り前側板（６１ａ）の組付溝（６７ａ）に対応して組付凸部（７７ａ）が形成されている。
【００９３】
この外廻り他側板（７１ａ）は、その切欠接合部（７０ａ）が上直外側板（２１ａ）の切欠接合部（２０ａ）に相欠き接合されるとともに、組付凸部（７７ａ）が外廻り前側板（６１ａ）の組付溝（６７ａ）に挿入された状態で支柱（２）に固定される。これにより外廻り他側板（７１ａ）が、廻り階段（３０）の他側面に沿って配置される。
【００９４】
一方図１２ないし図１６に示すように、中心部材は、廻り階段（３０）の中心部における中心柱（１）の周囲３面に配置される中心一側部材（５１ｂ）、中心前側部材（６１ｂ）及び中心他側部材（７１ｂ）を具備している。
【００９５】
中心一側部材（５１ｂ）は、中心柱（１）の下直階段側の側面（一側面）に配置されるものであって、下端が上記下直内側板（１１ｂ）における上端切欠接合部（１０ｂ）の切欠凹部（１４ｂ）に嵌め込まれた状態で中心柱（１）に固定されている。
【００９６】
中心一側部材（５１ｂ）には、第２段板（３２）の取付位置に対応して第２段板取付溝（３２ｂ）が形成されるとともに、その溝（３２ｂ）から下方に向かって垂直に延びる第２蹴込板取付溝（４２ｂ）が形成されている。
【００９７】
中心前側部材（６１ｂ）は、中心柱（１）の廻り階段側の側面（前側面）に配置されるものであって、下端が上記中心一側部材（５１ｂ）の第２段板取付溝（３２ｂ）に対応して配置された状態で、中心柱（１）に固定されている。
【００９８】
中心前側部材（６１ｂ）には、第３及び第４段板（３３）（３４）に対応して第３及び第４段板取付溝（３３ｂ）（３４ｂ）が形成されるとともに、各溝（３３ｂ）（３４ｂ）から下方に垂直に延びる第３及び第４蹴込板取付溝（４３ｂ）（４４ｂ）が形成されている。
【００９９】
中心他側部材（７１ｂ）は、中心柱（１）の上直階段側の側面（他側面）に配置されるものであって、下端が上記中心前側部材（６１ｂ）の第４段板取付溝（３４ｂ）に対応して配置された状態で中心柱（１）に固定されている。更に中心他側部材（７１ｂ）の上端部一側面には、上端が切り欠かれた切欠接合部（７０ｂ）が設けられており、この切欠接合部（７０ｂ）に上記上直内側板（２１ｂ）の下端切欠接合部（２０ｂ）が相欠き接合状態に配置されている。
【０１００】
中心他側部材（７１ｂ）には、第５段板（３５）に対応して第５段板取付溝（３５ｂ）が形成されるとともに、その溝（３５ｂ）から下方に向かって垂直に延びる第５蹴込板取付溝（４５ｂ）が形成されている。
【０１０１】
一方、廻り階段（３０）における第１ないし第５段板（３１）〜（３５）は、外廻り側板（５１ａ）（６１ａ）（７１ａ）及び中心部材（５１ｂ）（６１ｂ）（７１ｂ）における対応する第１ないし第５段板取付溝（３１ａ）〜（３５ａ）、（３１ｂ）〜（３５ｂ）に挿入されて固定されるとともに、第１ないし第５蹴込板（４１）〜（４５）は、対応する第１ないし第５蹴込板取付溝（４１ａ）〜（４５ａ）、（４１ｂ）〜（４５ｂ）に挿入されて固定されている。
【０１０２】
この構成における本実施形態の階段構造は、下側から施工する場合、以下の手順で施工される。
【０１０３】
まず下直階段（１０）における下直外側板（１１ａ）を対応する支柱（２）に固定する。このとき外側板（１１ａ）の下端は階下の床面に接地する。
【０１０４】
次に廻り階段（３０）における外廻り一側板（５１ａ）を組み付ける。すなわち外廻り一側板（５１ａ）をその下側切欠接合部（５０ａ）を下直外側板（１１ａ）の上側切欠接合部（１０ａ）に相欠き接合して位置決め状態に載置しておいて、外廻り一側板（５１ａ）の上端を支柱（２）に固定した後、下端を支柱（２）に固定する。このとき外廻り一側板（５１ａ）は、その下側切欠接合部（５０ａ）を下直外側板（１１ａ）の上側切欠接合部（１０ａ）に係合することにより、両側板（５１ａ）（１１ａ）間の位置決めを簡単かつ精度良く行うことができる。更に外廻り一側板（５１ａ）の切欠接合部（５０ａ）における係合段部（５６ａ）を、下直外側板（１１ａ）の切欠接合部（１１ａ）における係合段部（１６ａ）に載置することにより、外廻り一側板（５１ａ）の切欠接合部側を仮置き固定することができるため、外廻り一側板（５１ａ）の固定作業を効率良くスムーズに行うことができる。
【０１０５】
次に外廻り前側板（６１ａ）を組み付ける。すなわち外廻り一側板（５１ａ）の組付溝（５７）に前側板（６１ａ）の組付凸部（６０ａ）を差し込んで位置決めした状態で、前側板（６１ａ）の上側端部（他側板７１ａ側の端部）を支柱（２）に固定した後、下側端部（一側板５１ａ側の端部）を支柱（２）に固定する。
【０１０６】
続いて外廻り他側板（７１ａ）を組み付ける。すなわち外廻り前側板（６１ａ）の組付溝（６７ａ）に外廻り他側板（７１ａ）の組付凸部（７７ａ）を差し込んで位置決めした状態で、他側板（７１ａ）の下側端部（上直階段に対し反対側）を支柱（２）に固定する。
【０１０７】
その後、上直外側板（２１ａ）を組み付ける。すなわち上直外側板（２１ａ）の切欠接合部（２０ａ）を外廻り他側板（７１ａ）の切欠接合部（７０ａ）に相欠き接合して位置決めした状態で、外廻り他側板（７１ａ）の上側端部（上直階段側）を支柱（２）に固定する。この上直外側板（２１ａ）の組付作業においても、上記と同様、上直外側板（２１ａ）の切欠接合部（２０ａ）を外廻り他側板（７１ａ）の切欠接合部（７０ａ）に相欠き接合することにより、両者間を精度良く簡単に位置決めすることができる。
【０１０８】
なお上直外側板（２１ａ）の上端部側は、階上の床面に接地する。
【０１０９】
次に下直内側板（１１ｂ）を対応する支柱（２）（１）に固定する。このとき内側板（１１ｂ）の下端は階下の床面に接地する。
【０１１０】
続いて下直内側板（１１ｂ）及び下直外側板（１１ａ）間において、対応する段板取付溝（１２ａ）（１２ｂ）に複数の段板（１８）を階段裏面側から差し込んで取り付けるとともに、対応する蹴込板取付溝（１３ａ）（１３ｂ）に複数の蹴込板（１９）を階段裏面側から差し込んで取り付ける。
【０１１１】
次に廻り階段（３０）における第１及び第２段板（３１）（３２）を、外廻り一側板（５１ａ）及び前側板（６１ａ）おける対応する段板取付溝（３１ａ）（３２ａ）にそれぞれ差し込んで取り付けるとともに、第１及び第２蹴込板（４１）（４２）を、対応する蹴込板取付溝（４１ａ）（４２ａ）にそれぞれ差し込んで取り付ける。このとき第１段板（３１）の内側端縁は、下直内側板（１１ｂ）の最上位の段板取付溝（１２ｂ）に差し込んで取り付けるとともに、第１蹴込板（４１）の内側端縁は、下直内側板（１１ｂ）の最上位の蹴込板取付溝（１３ｂ）に差し込んで取り付ける。
【０１１２】
続いて中心一側部材（５１ｂ）を、その下端を下直内側板（１１ｂ）の上側切欠接合部（１１ｂ）における切欠凹部（１４ｂ）に係合するとともに、前側端縁を中心柱（１）の前側面に一致させて（面一に合わせて）、中心柱（１）に固定する。このとき中心一側部材（５１ｂ）の第２段板取付溝（３２ｂ）及び第２蹴込板取付溝（４２ｂ）を、第２段板３２）及び第２蹴込板（４２）の内側端縁に嵌め込むように配置する。
【０１１３】
次に中心前側部材（６１ｂ）を、その一側縁で中心一側部材（５１ｂ）の前側木口を覆うとともに、その下端を中心一側部材（５１ｂ）の第２段板取付溝（３２ｂ）の上側縁に一致させて、中心柱（１）に固定する。
【０１１４】
その後、第３及び第４段板（３３）（３４）を、外廻り側板（６１ａ）（７１ａ）及び中心前側部材（６１ｂ）の対応する段板取付溝（３３ａ）（３４ａ）（３３ｂ）（３４ｂ）にそれぞれ差し込んで取り付ける。更に第３及び第４蹴込板（４３）（４４）を、対応する蹴込板取付溝（４３ａ）（４４ａ）（４３ｂ）（４４ｂ）にそれぞれ差し込んで取り付ける。
【０１１５】
続いて中心他側部材（７１ｂ）を、その前側縁で中心前側部材（５１ｂ）の他側木口を覆うとともに、下端を中心前側部材（６１ｂ）の第４段板取付溝（３４ｂ）の上側縁に一致させて、中心柱（１）に固定する。
【０１１６】
その後、第５段板（３５）及び第５蹴込板（４５）を、外廻り他側板（７１ａ）及び中心他側部材（７１ｂ）の第５段板取付溝（３５ａ）（３５ｂ）及び第５蹴込板取付溝（４５ａ）（４５ｂ）にそれぞれ差し込んで取り付ける。
【０１１７】
ここで本実施形態においては、廻り階段（３０）は、蹴込芯廻し構造が採用されている。すなわち図８ないし図１３に示すように中心柱（１）等の組立中心部材の垂直中心線（組立中心線）を「Ｘ」としたとき、廻り階段（３０）は、その第１ないし第５蹴込板（４１）〜（４５）の表面位置が、中心柱（１）の中心線（Ｘ）に一致するようにして組み立てられ、平面視において、中心線（Ｘ）を中心とする放射線上に、各蹴込板（４１）〜（４５）の表面が位置するように組み立てられるものである。なお本実施形態では、第１蹴込板（４１）は、下直階段（１０）の蹴込板（１９）と平行に配置されるとともに、第５蹴込板（４５）は、上直階段（２０）の蹴込板（２９）と平行に配置される。更に本実施形態では、図８ないし図１１に示すように、中心線（Ｘ）に外側の支柱（２）（２）の中心線が対応して配置され、外側の支柱（２）（２）の中心線に、第１及び第５蹴込板（４１）（４５）の表面が一致するようになっている。
【０１１８】
本発明においては、上記の蹴込芯廻し構造以外に、段鼻芯廻し構造を採用することができる。段鼻芯廻し構造は、各段板（３１）〜（３５）の先端（段鼻部）位置が、中心柱（１）の中心線（Ｘ）に一致するようにして組み立てられ、平面視において、中心線（Ｘ）を中心とする放射線上に、各段板（３１）〜（３５）の先端が位置するように組み立てられるものである。なお、この段鼻芯廻し構造を採用する場合においても、上記と同様、第１及び第５段板（３１）（３５）を、直階段（１０）（２０）の段板（１８）（２８）と平行に配置し、外側の支柱（２）（２）の中心線に、第１及び第５段板（３１）（３５）の先端を一致させるのが通例である。
【０１１９】
本実施形態では、蹴込芯廻し構造を採用しているため、段鼻芯廻し構造を採用する場合に比べて、位置合わせを容易に行うことができる。すなわち蹴込板（４１）〜（４５）の表面の上下長さは、段板（３１）〜（３５）の段鼻先端の上下長さ（厚さ）よりも長いため、蹴込板表面の方が段鼻先端よりも、中心線（Ｘ）に合わせ易く、位置合わせを容易に行うことができる。
【０１２０】
なお本発明において、中心線（Ｘ）に対する蹴込板表面の一致操作を容易に行うことができるように、蹴込板（４１）〜（４５）の上下長さ、つまり側板等の切欠凹部の上下長さは、側板の幅（上下長さ）に対し、５０％以上、より好ましくは６０％以上に設定するのが良い。
【０１２１】
また本実施形態においては図１３に示すように、廻り階段（３０）の各段板（３１）〜（３５）の例えば内側端縁を、中心柱（１）の外周形状に合わせてカットしている。特に第２段板（３２）及び第４段板（３４）は、中心柱（１）のコーナ部に対応して配置されるため、中心柱（１）のコーナ部に合わせて、両段板（３２）（３４）の内側端縁をＬ字状にカットしている。このように段板内側端縁を、中心柱（１）の外周形状に合わせてカットすることにより、各段板（３１）〜（３５）の内側端縁を、中心側の段板取付溝（３１ｂ）〜（３５ｂ）に位置精度良く確実に嵌め込むことができ、施工作業性をより一層向上させることができる。
【０１２２】
同様に、本実施形態においては図２等に示すように、各段板（３１）〜（３５）の外側端縁を、外廻り側板（５１ａ）〜（５３ａ）によって形成される外廻り壁内周面形状に合わせてカットしている。特に第２段板（３２）及び第４段板（３４）の外側端縁を、外廻り壁のコーナ部に対応して、Ｌ字状にカットしている。このように段板内側端縁を、外廻り壁内周面形状に合わせてカットすることにより、各段板（３１）〜（３５）の外側端縁を、外廻り壁内周面の段板取付溝（３１ａ）〜（３５ａ）に位置精度良く確実に嵌め込むことができ、施工作業性を更に向上させることができる。
【０１２３】
廻り階段（３０）を組み付けた後、上直階段（２０）において、上直内側板（２１ｂ）を支柱（１）（２）に固定する。このとき上直内側板（２１ｂ）は、その切欠接合部（２０ｂ）を中心他側部材（７１ｂ）の切欠接合部（７０ｂ）に相欠き接合して位置決めするとともに、上端を階上の床面に接地した状態で、支柱（１）（２）に固定する。
【０１２４】
その後、上直階段（２０）において、対応する段板取付溝（２２ａ）（２２ｂ）にそれぞれ段板（２８）を階段裏面側から差し込んで取り付けるとともに、対応する蹴込板取付溝（２３ａ）（２３ｂ）にそれぞれ蹴込板（２９）を階段裏面側から差し込んで取り付ける。これにより本実施形態の階段構造が形成される。
【０１２５】
以上のように、本実施形態の階段構造においては、下直外側板（１１ａ）の上端縁に上側を切り欠いた切欠接合部（１０ａ）を形成するとともに、外廻り一側板（５１ａ）の下端縁に下側を切り欠いた切欠接合部（５０ａ）を形成するものであるため、両接合部（１０ａ）（５０ａ）を相欠き接合状態に係合するだけで簡単に、両側板（１１ａ）（５１ａ）間の位置決めを精度良く行うことができ、施工作業を効率良くスムーズに行うことができる。
【０１２６】
更に外廻り一側板（５１ａ）及び下直外側板（１１ａ）の切欠接合部（５０ａ）（１０ａ）を係合した際に、外廻り一側板（５１ａ）の切欠接合部（５０ａ）における係合段部（５６ａ）が、下直外側板（１１ａ）の切欠接合部（１１ａ）における係合段部（１６ａ）に載置されるため、外廻り一側板（５１ａ）の切欠接合部側を仮置き固定することができ、外廻り一側板（５１ａ）の固定作業を容易に行うことができる。
【０１２７】
また本実施形態においては、外廻り一側板（５１ａ）の切欠接合部（５０ａ）における上側凸部（５５ａ）内に段板取付溝（３１ａ）の先端を配置するものであるため、段板取付溝が、外廻り側板及び下直外側板間に跨って配置されるようなこともなく、両側板間に位置ずれがあろうとも、段板取付溝（３１ａ）の形状が変化するようなことはなく、その溝内に段板（３１）を確実に挿入して固定することができ、一層施工作業を効率良くスムーズに行うことができる。
【０１２８】
なお、本実施形態において、例えば両側板（１１ａ）（５１ａ）を相欠き接合した際に、組付誤差や寸法誤差の影響により、両側板（１１ａ）（５１ａ）間に位置ずれが生じたとしても、その位置ずれを簡単に吸収することができる。
【０１２９】
例えば外廻り一側板（５１ａ）の切欠接合部（５０ａ）における上端コーナ部が、下直外側板（１１ａ）の切欠接合部（１０ａ）における上端コーナ部よりも沈み込んでいる場合には、両切欠接合部（１０ａ）（５０ａ）の係合段部（１６ａ）（５６ａ）間に、介在物を介在させる等して隙間を持たせることにより、外廻り外側板（５１ａ）を浮き上がらせて、その外側板（５１ａ）の切欠接合部（５０ａ）における上端コーナ部を、下直外側板（１１ａ）の切欠接合部（１０ａ）における上端コーナ部に一致させることができ、良好な美観を得ることができる。なおこのように位置ずれを吸収したとしても、本実施形態においては、外廻り一側板（５１ａ）の切欠接合部（５０ａ）における上側凸部（５４ａ）内に段板取付溝（３１ａ）の先端を配置するものであるため、溝（３１ａ）の形状が変化することはなく、その溝内に段板（３１）を確実に挿入して組み付けることができる。
【０１３０】
また逆に、外廻り一側板（５１ａ）の切欠接合部（５０ａ）における上端コーナ部が、下直外側板（１１ａ）の切欠接合部（１０ａ）における上端コーナ部よりも浮き上がっている場合には、下直外側板（１１ａ）の係合段部（１６ａ）を削って、下直外側板（１１ａ）の上端コーナ部を外廻り一側板（５１ａ）の上端コーナ部に一致させるようにすれば良い。
【０１３１】
このように本実施形態の階段構造においては、組付誤差や寸法誤差等による位置ずれを簡単に吸収しつつ、組立作業も確実に行うこことができる。
【０１３２】
また本実施形態においては、外廻り一側板（５１ａ）に形成される第１段板取付溝（３１ａ）の先端縁を、切欠接合部（５０ａ）における凸部（５４ａ）の先端縁に一致させるように形成するとともに、第１蹴込板取付溝（４１ａ）の前端縁を、切欠接合部（５０ａ）における切欠凹部（５５ａ）の先端縁に一致させるように形成しているため、切欠接合部（５０ａ）の裁断加工と同時に、段板取付溝（３１ａ）の先端縁や蹴込板取付溝（４１ａ）の前端縁を形成することができ、これらの溝加工を精度良く簡単に行うことができ、側板（５１ａ）（１１ａ）の製作を容易に行うことができる。
【０１３３】
本実施形態においては、外廻り他側板（７１ａ）と上直外側板（２１ａ）との組付時においても、上記と同様に、位置決めを簡単に行えて、施工作業を効率良くスムーズに行うことができる。更に組付誤差や寸法誤差を簡単に吸収でき、更に部品製作も容易に行うことができる。
【０１３４】
また本実施形態においては、下直内側板（１１ｂ）の上側縁に切欠接合部（１０ｂ）を形成して、その切欠接合部（１０ｂ）に中心一側部材（５１ｂ）の下端を係合して位置決めするものあるため、下直内側板（１１ｂ）及び中心一側部材（５１ｂ）間の位置合わせも容易に行うことができる。
【０１３５】
その上、本実施形態においては、中心他側部材（７１ｂ）の上端部に切欠接合部（７０ｂ）を形成するとともに、上直内側板（２１ｂ）の下端縁に切欠接合部（２０ｂ）を形成し、これらの両切欠接合部（２０ｂ）（７０ｂ）を相欠き接合状態に係合して位置決めするものであるため、中心他側部材（７１ｂ）及び上直内側板（２１ｂ）間の位置合わせも容易に行うことができる。
【０１３６】
図１７及び図１８はこの発明の第２実施形態である階段構造における下直外側板及び外廻り一側板の接合部を示す内側面図、図１９及び図２０は図１７及び図１８の拡大断面図である。これらの図に示すように本実施形態においては、外廻り一側板（５１ａ）の内面から下直外側板（１１ａ）の上端部内面にかけて、廻り階段（３０）の第１段板（３１）を取り付けるための段板取付溝（３１ａ）が形成されている。更に下直外側板（１１ａ）の切欠接合部（１０ａ）は、その係合段部（１６ａ）が段板取付溝（３１ａ）の範囲内に位置するように形成されている。そして下直外側板（１１ａ）の段板取付溝（３１ａ）内の領域、換言すれば下直外側板（１１ａ）の凸部（１５ａ）における係合段部（１６ａ）側の端部に、固定片（８０）が設けられている。図１７〜２０から明らかなように、この固定片（８０）は、下直外側板（１１ａ）における段板取付溝（３１ａ）の底部によって形成されている。
【０１３７】
また下直外側板（１１ａ）の凸部（１５ａ）における係合段部（１６ａ）側の出隅部（９１ａ）が円弧状に形成されるとともに、切欠凹部（１４ａ）における係合段部（１６ａ）側の入隅部（９１ｂ）が円弧状に形成される。
【０１３８】
更に外廻り一側板（５１ａ）の切欠凹部（５５ａ）における係合段部（５６ａ）側の入隅部（９２ａ）が、上記下直外側板（１１ａ）の出隅部（９１ａ）と適合可能な円弧状に形成されるとともに、凸部（５４ａ）における係合段部（５６ａ）側の出隅部（９２ｂ）が、上記下直外側板（１１ａ）の入隅部（９１ｂ）と適合可能な円弧状に形成されている。
【０１３９】
そして下直外側板（１１ａ）を施工する際には、釘、ビス等の固着具（８５）を固定片（８０）を介して支柱（２）等の構造材にねじ込む（打ち込む）ことにより、下直外側板（１１ａ）を確実に固定することができる。
【０１４０】
更に外廻り一側板（５１ａ）は、その切欠接合部（５０ａ）を下直外側板（１１ａ）の切欠接合部（１０ａ）に相欠き接合した状態で、外廻り一側板（５１ａ）の段板取付溝（３１ａ）内の領域に、固着具（８５）をねじ込んで（打ち込んで）構造材に固定するものである。
【０１４１】
その他の構成は、上記実施形態と同様であるため、同一部分に同一符号を付して重複説明は省略する。
【０１４２】
この実施形態の階段構造によれば、下直外側板（１１ａ）を確実に支柱（２）等の構造材に固定することができ、下直外側板（１１ａ）の組付作業、ひいては階段組立作業を簡単かつ正確に行うことができる。
【０１４３】
また下直外側板（１１ａ）の固定片（８０）は、段板取付溝（３１ａ）内に設けられているため、階段組立後には、段板（３１）によって、固定片（８０）、つまり固着具（８５）が隠蔽されて、固着具（８５）の隠蔽のための化粧作業等も必要なく、良好な美観を得ることができる。
【０１４４】
また本実施形態においては、外廻り一側板（５１ａ）の係合段部（５６ａ）周辺の入隅部（９２ａ）及び出隅部（９２ｂ）を円弧状に形成しているため、側板製作時に切欠凹部（５４ａ）の切除作業、特に入隅部（９２ａ）及び出隅部（９２ｂ）の加工作業をルーターを用いて簡単かつ正確に行うことができ、階段構成部材の製作を、効率良く行うことができる。同様に下直外側板（１１ａ）の係合段部（１６ａ）周辺の出隅部（９１ａ）及び入隅部（９１ｂ）を円弧状に形成しているため、切欠凹部（１４ａ）の切除作業を容易に行うことができ、製作を効率良く行うことができる。
【０１４５】
図２１及び図２２はこの発明の第１変形例である階段構造における下直外側板及び外廻り一側板の接合部を示す内側面図、図２３及び図２４は図２１及び図２２の拡大断面図である。これらの図に示すようにこの変形例においては、外廻り一側板（５１ａ）の内面から下直外側板（１１ａ）の上端部内面にかけて、廻り階段（３０）の第１段板（３１）を取り付けるための段板取付溝（３１ａ）が形成されている。更に下直外側板（１１ａ）の切欠接合部（１０ａ）は、その係合段部（１６ａ）が段板取付溝（３１ａ）の上端縁に沿うように形成されている。そして下直外側板（１１ａ）の段板取付溝（３１ａ）内の領域、換言すれば下直外側板（１１ａ）の凸部（１５ａ）における係合段部（１６ａ）側の端部に、固定片（８０）が設けられている。図２１〜２４から明らかなように、この固定片（８０）は、下直外側板（１１ａ）における段板取付溝（３１ａ）の底部によって形成されている。更に凸部（１５ａ）における係合段部（１６ａ）側の出隅部が円弧状に切除されて切除部（９５）として形成されている。
【０１４６】
また、外廻り一側板（５１ａ）の切欠接合部（５０ａ）は、その係合段部（５６ａ）が段板取付溝（３１ａ）の上端縁に沿うように形成されている。更に切欠凹部（５５ａ）における係合段部（５６ａ）側の入隅部（９２ａ）が円弧状に形成されている。
【０１４７】
そして下直外側板（１１ａ）を施工する際には、釘、ビス等の固着具（８５）を固定片（８０）を介して支柱（２）等の構造材にねじ込むことにより、下直外側板（１１ａ）を確実に固定することができる。
【０１４８】
更に外廻り一側板（５１ａ）は、その切欠接合部（５０ａ）を下直外側板（１１ａ）の切欠接合部（１０ａ）に相欠き接合した状態で、外廻り一側板（５１ａ）の段板取付溝（３１ａ）内の領域に、固着具（８５）をねじ込んで構造材に固定するものである。
【０１４９】
その他の構成は、上記実施形態と同様であるため、同一部分に同一符号を付して重複説明は省略する。
【０１５０】
この変形例の階段構造においても、下直外側板（１１ａ）を確実に支柱（２）等の構造材に固定することができる上、良好な美観を得ることができる。
【０１５１】
また本実施形態においては、外廻り一側板（５１ａ）の切欠凹部（５５ａ）における係合段部（５６ａ）側の入隅部（９２ａ）を円弧状に形成しているため、側板製作時に切欠凹部（１４ａ）の切除作業を簡単かつ正確に行うことができる。
【０１５２】
更に本実施形態においては、下直外側板（１１ａ）の凸部（１５ａ）における係合段部（１６ａ）側の出隅部を切除して切除部（９１ａ）を形成しているため、両側板（１１ａ）（５１ａ）同士を相欠き接合する際に、凸部（１５ａ）の出隅部（切除部９１ａ）が突っかかるようなことがなく、凸部（１５ａ）を、対応する切欠凹部（５５ａ）に収まり良く配置することができ、組付作業性を更に向上させることができる。
【０１５３】
ここで本発明においては、下直外側板（１１ａ）に固定片（８０）を形成する場合、上記の例に限られず、例えば図２５及び図２６の第２変形例に示すように下直外側板（１１ａ）における凸部（１５ａ）の係合段部（１６ａ）側の端部に、固着具（８５）を止めるだけの小さい固定片（８０）を形成するとともに、その切欠接合部（１０ａ）に接合可能な形状に、外廻り一側板（５１ａ）の切欠接合部（５０ａ）を形成するようにしても良い。
【０１５４】
なお本実施形態及び変形例においては、固定片（８０）は、凸部（１５ａ）の一部を構成するものとして説明している。つまり上記実施例等においては、固定片（８０）の上端縁が係合段部（１６ａ）として構成されることとなる。
【０１５５】
図２７及び図２８はこの発明の第３変形例としての階段構造における下直外側板及び外廻り一側板の接合部を示す内側面図である。両図に示すように、この構成では、下直外側板（１１ａ）の切欠凹部（１４ａ）における係合段部（１６ａ）側の入隅部（９１ｂ）を円弧状に形成するとともに、外廻り一側板（５１ａ）の凸部（５４ａ）における係合段部（５６ａ）側の出隅部を円弧状に切除して切除部（９６）を形成している。この構造のように、ビス止め用の固定片を形成しない場合であっても、入隅部（９１ｂ）を円弧状に形成したり、出隅部に切除部（９６）を形成することにより、上記と同様に、側板製作を効率良く行えるとともに、凸部（５４ａ）を切欠凹部（１４ａ）内に収まり良く配置できて、組付作業性の向上を図ることができる。なお言うまでもなく、この第３変形例のようにビス止め用の固定片を形成しない場合であっても、外廻り一側板（５１）の凸部（５４ａ）における係合段部（５６ａ）側の出隅部（切除部９６に相当する部分）を円弧状に形成したり、外廻り一側板（５１）の切欠凹部（５５ａ）における係合段部（５６ａ）側の入隅部（９２ｂ）を円弧状に形成したり、更には下直外側板（１１ａ）の凸部（１５ａ）における係合段部（１６ａ）側の出隅部（９１ａ）を円弧状に形成するようにしても良い。
【０１５６】
図２９及び図３０はこの発明の第３実施形態である階段構造における下直外側板及び外廻り一側部の接合部を示す内側面図である。両図に示すように本実施形態においては、外廻り一側板（５１ａ）の切欠接合部（５０ａ）における凸部（５４ａ）の先端縁を、垂直ではなく、傾斜するように形成するとともに、その接合部（５０ａ）の形状に合わせて、下直外側板（１１ａ）の切欠接合部（５０ａ）における切欠凹部（５５ａ）の基端縁を傾斜するように形成にしている。その他の構成は上記と同様である。
【０１５７】
この構成においては、両側板（１１ａ）（５１ａ）間の接合部を傾斜させるため、両側板（１１ａ）（５１ａ）を仮組した際に、下直外側板（１１ａ）上に外廻り（５１ａ）を安定状態に維持することができ、組立作業性を向上させることができる。
【０１５８】
またこの第３実施形態では、外廻り一側板（５１ａ）の凸部先端縁を、上方に向かうに従って下直外側板（１１ａ）側に位置する態様に、傾斜配置させるようにしているが、本発明においては、これとは逆に傾斜配置させるようにしても良い。すなわち、外廻り一側板（５１ａ）の凸部先端縁を、下方に向かうに従って下直外側板（１１ａ）側に位置する態様に、傾斜配置させるようにしても良い。
【０１５９】
なお、本発明において、上記図１７ないし図３０で説明した構成は、外廻り他側板（７１ａ）及び上直外側板（２１ａ）間の接合部にも同様に適用することができ、同様の効果を得ることができる。
【０１６０】
また上記実施形態においては、本発明を折り返し階段に適用した場合について説明したが、本発明はそれだけに限られず、かね折れ階段等、他の廻り階段付き階段構造に適用することもできる。
【０１６１】
また上記実施形態においては、下直外側板（１１ａ）に上側切欠接合部（１０ａ）を形成するとともに、外廻り一側板（５１ａ）に下側切欠接合部（５０ａ）を形成するようにしているが、それだけに限られず、本発明は、下直外側板（１１ａ）に下側切欠接合部を形成して、外廻り一側板（５１ａ）に上側切欠接合部を形成するようにしても良い。更に外廻り他側板（７１ａ）に下側切欠接合部を形成して、上直外側板（２１ａ）に上側切欠接合部を形成するようにしても良い。
【０１６２】
また上記実施形態においては、階段構造を下側から施工する場合について説明したが、それだけに限られず、本発明は、階段構造を上側から施工することもできる。この場合には、上直外側板（２１ａ）に上側切欠接合部を形成するとともに、外廻り他側板（７１ａ）に下側切欠接合部を形成し、更に外廻り一側板（５１ａ）に上側切欠接合部を形成するとともに、下直外側板（１１ａ）に下側切欠接合部を形成するのが良い。
【０１６３】
また上記実施形態は、廻り階段（３０）に５枚の段板が取り付けられる５段廻しタイプの階段構造を例に挙げて説明したが、それだけに限られず、本発明は、廻り階段が２段廻し、３段廻し、４段廻し、６段廻しタイプ等にも適用でき、更に廻り階段の片側、あるいは全域が踊り場に形成されたものにも上記と同様に適用することができる。
【０１６４】
また上記実施形態等においては、中心柱（１）に中心部材（５１ｂ）（６１ｂ）（７１ｂ）を取り付けて、廻り階段（２０）における段板（３１）〜（３５）の内側（中心側）を支持するようにしているが、本発明においては、廻り段板（３１）〜（３５）の内側支持方法はそれだけに限られず、例えば中心柱（１）に段板支持溝を刻設して、その溝に廻り段板内側部を支持させたり、あるいは中心柱（１）の外周面にＬ型金具等の金物を取り付けて、その金物に廻り段板内側部を支持させるようにしても良い。
【図面の簡単な説明】
【０１６５】
【図１】この発明の第１実施形態である階段構造を示す斜視図である。
【図２】第１実施形態の階段構造を示す平面図である。
【図３】第１実施形態の階段構造における下直外側板から外廻り一側板にかけての部分を図２の矢符Ａ１方向から見た場合の内側面図である。
【図４】第１実施形態の階段構造における下直内側板を図２の矢符Ｂ１方向から見た場合の内側面図である。
【図５】第１実施形態の階段構造における外廻り他側板から上直外側板にかけての部分を矢符Ａ２方向から見た場合の内側面図である。
【図６】第１実施形態の階段構造における上直内側板を図２の矢符Ｂ２方向から見た場合の内側面図である。
【図７】第１実施形態の階段構造における外廻り前側板を図２の矢符Ａ３方向から見た場合の内側面図である。
【図８】第１実施形態の階段構造における下直外側板及び外廻り一側板の接合部を示す内側面図である。
【図９】第１実施形態の下直内側板及び外廻り一側板の接合部を分解して示す内側面図である。
【図１０】第１実施形態の階段構造における外廻り他側板及び上直内側板の接合部を示す内側面図である。
【図１１】第１実施形態の外廻り他側板及び上直内側板の接合部を分解して示す内側面図である。
【図１２】第１実施形態の階段構造における廻り階段の中心部材周辺を示す平面図である。
【図１３】第１実施形態の階段構造における廻り階段の中心部材周辺を分解して示す平面図である。
【図１４】第１実施形態の階段構造における廻り階段の中心一側部材を図２の矢符Ｂ１方向からみた場合の内側面図である。
【図１５】第１実施形態の階段構造における廻り階段の中心前側部材を図２の矢符Ｂ３方向からみた場合の内側面図である。
【図１６】第１実施形態の階段構造における廻り階段の中心他側部材を図２の矢符Ｂ２方向からみた場合の内側面図である。
【図１７】この発明の第２実施形態における下直内側板及び外廻り一側板の接合部を示す内側面図である。
【図１８】第２実施形態における下直内側板及び外廻り一側板の接合部を分解して示す内側面図である。
【図１９】図１７の係合段部周辺を拡大して示す内側面図である。
【図２０】図１８の係合段部周辺を拡大して示す内側面図である。
【図２１】この発明の第１変形例における下直内側板及び外廻り一側板の接合部を示す内側面図である。
【図２２】第１変形例における下直内側板及び外廻り一側板の接合部を分解して示す内側面図である。
【図２３】図２１の係合段部周辺を拡大して示す内側面図である。
【図２４】図２２の係合段部周辺を拡大して示す内側面図である。
【図２５】この発明の第２変形例としての階段構造における下直内側板及び外廻り一側板の接合部を示す内側面図である。
【図２６】第２変形例における下直内側板及び外廻り一側板の接合部を分解して示す内側面図である。
【図２７】この発明の第３変形例としての階段構造における下直内側板及び外廻り一側板の接合部を示す内側面図である。
【図２８】第３変形例における下直内側板及び外廻り一側板の接合部を分解して示す内側面図である。
【図２９】この発明の第３実施形態における下直内側板及び外廻り一側板の接合部を示す内側面図である。
【図３０】第３実施形態における下直内側板及び外廻り一側板の接合部を分解して示す内側面図である。
【図３１】従来の階段構造における下直内側板及び外廻り一側板の突き合わせ接合部を示す内側面図である。
【図３２】図３１の分解図である。
【図３３】従来の階段構造における外廻り他側板及び上直内側板の突き合わせ接合部を示す内側面図である。
【図３４】図３３の分解図である。
【符号の説明】
【０１６６】
１…中心柱（組立中心部材）
１０…下直階段
１０ａ…上側切欠接合部
１１ａ…下直外側板
１４ａ…凹部
１５ａ…凸部
１６ａ…係合段部
２０…上直階段
２０ａ…下側切欠接合部
２１ａ…上直外側板
２２ａ…段板取付溝
２３ａ…蹴込板取付溝
２４ａ…凸部
２５ａ…凹部
２６ａ…係合段部
３０…廻り階段
３１〜３５…段板
４１〜４５…蹴込板
３１ａ…段板取付溝
４１ａ…蹴込板取付溝
５０ａ…下側切欠接合部
５１ａ…外廻り一側板（外側板）
５４ａ…凸部
５５ａ…凹部
５６ａ…係合段部
７０ａ…上側切欠接合部
７１ａ…外廻り他側板（外側板）
７４ａ…凹部
７５ａ…凸部
７６ａ…係合段部
８０…固定片
８５…固着具
９１ａ…出隅部
９１ｂ…入隅部
９２ａ…入隅部
９２ｂ…出隅部
９５、９６…切除部
【図１】
0004758089.tif 000002
【図２】
0004758089.tif 000003
【図３】
0004758089.tif 000004
【図４】
0004758089.tif 000005
【図５】
0004758089.tif 000006
【図６】
0004758089.tif 000007
【図７】
0004758089.tif 000008
【図８】
0004758089.tif 000009
【図９】
0004758089.tif 000010
【図１０】
0004758089.tif 000011
【図１１】
0004758089.tif 000012
【図１２】
0004758089.tif 000013
【図１３】
0004758089.tif 000014
【図１４】
0004758089.tif 000015
【図１５】
0004758089.tif 000016
【図１６】
0004758089.tif 000017
【図１７】
0004758089.tif 000018
【図１８】
0004758089.tif 000019
【図１９】
0004758089.tif 000020
【図２０】
0004758089.tif 000021
【図２１】
0004758089.tif 000022
【図２２】
0004758089.tif 000023
【図２３】
0004758089.tif 000024
【図２４】
0004758089.tif 000025
【図２５】
0004758089.tif 000026
【図２６】
0004758089.tif 000027
【図２７】
0004758089.tif 000028
【図２８】
0004758089.tif 000029
【図２９】
0004758089.tif 000030
【図３０】
0004758089.tif 000031
【図３１】
0004758089.tif 000032
【図３２】
0004758089.tif 000033
【図３３】
0004758089.tif 000034
【図３４】
0004758089.tif 000035